(57)【要約】      （修正有）【課題】既存の構成を利用して漏えい冷媒を空調室外に排出することができ、コストおよび設置工数の増加を抑制した空気調和機を提供する。【解決手段】空気調和機２１は、吸込んだ空気と冷媒との間で熱交換を行う室内熱交換器４と、室内熱交換器４の下方に設けられ、室内熱交換器４に結露したドレン水を排出するドレン水排出部６とを有する室内機２２を備える。冷媒は、可燃性を有し、かつ、比重が空気より重い冷媒である。ドレン水排出部６には、室内熱交換器４から漏れた冷媒を外部へ排出するためのファン８が設けられ、室内熱交換器４から漏れた冷媒は、ファン８によりドレン水排出部６のドレン配管６Ｂを介して外部へ排出される【選択図】図３
2015224837.tif 000002
【特許請求の範囲】
【請求項１】
吸込んだ空気と冷媒との間で熱交換を行う室内熱交換器と、
前記室内熱交換器の下方に設けられ、前記室内熱交換器に結露したドレン水を排出するドレン水排出手段とを有する室内機を備えた空気調和機であって、
前記冷媒は、可燃性を有し、かつ、比重が空気より重い冷媒であり、
前記ドレン水排出手段には、前記室内熱交換器から漏れた前記冷媒を外部へ排出するための冷媒排出手段が設けられ、前記室内熱交換器から漏れた前記冷媒は、前記冷媒排出手段により前記ドレン水排出手段を介して外部へ排出される空気調和機。
【請求項２】
前記ドレン水排出手段は、前記ドレン水を受けるドレンパンと、前記ドレンパンに溜まった前記ドレン水を外部へ排出するためのドレン配管とを有し、
前記冷媒排出手段は、前記ドレン配管内に設けられたファンであり、前記ファンの回転により、前記室内熱交換器から漏れた前記冷媒は、前記ドレン配管を介して外部へ排出される請求項１に記載の空気調和機。
【請求項３】
前記ドレン水排出手段は、前記ドレン水を受けるドレンパンと、前記ドレンパンに溜まった前記ドレン水を外部へ排出するためのドレン配管と、前記ドレン配管に設けられ前記ドレンパンに溜まった前記ドレン水を前記ドレン配管を介して外部に送るためのドレンポンプとを有し、
前記冷媒排出手段は、前記ドレンポンプであり、前記ドレンポンプを駆動させることにより、前記室内熱交換器から漏れた前記冷媒は、前記ドレン配管を介して外部へ排出される請求項１に記載の空気調和機。
【請求項４】
前記ドレン水排出手段は、前記ドレン水を受けるドレンパンと、前記ドレンパンに溜まった前記ドレン水を外部へ排出するためのドレン配管と、前記ドレン配管に設けられ前記ドレンパンに溜まった前記ドレン水を前記ドレン配管を介して外部に送るためのドレンポンプと、を有し、
前記冷媒排出手段は、一端が前記ドレンパンの近傍に位置し、他端が前記ドレン配管の前記ドレンポンプが設けられた位置よりも前記ドレン水の流れの下流側において前記ドレン配管に接続されるバイパス管と、前記バイパス管に設けられたファンとを有する請求項１に記載の空気調和機。
【請求項５】
前記室内機は、前記冷媒が漏れたか否かを検知する冷媒検知センサを更に備え、
前記冷媒検知センサにより前記冷媒が漏れたことが検知されると、前記ファンまたは前記ポンプを駆動させて前記冷媒を排出する請求項２から請求項４のいずれか一項に記載の空気調和機。
【請求項６】
前記空気調和機は、床置型の前記空気調和機である請求項１から請求項５のいずれか一項に記載の空気調和機。
【発明の詳細な説明】
【技術分野】
【０００１】
本発明は、空気調和機に関するもので、比重が空気より重い可燃性の冷媒を用いる空気調和機に関する。
【背景技術】
【０００２】
従来の空気調和機では、熱交換器から漏れた可燃性冷媒が、室内に漏出するのを防止するため、漏えい冷媒を外部に排出するための排出ダクトが設けられている（例えば、特許文献１参照）。
【先行技術文献】
【特許文献】
【０００３】
【特許文献１】特開平９−３２４９２８号公報
【発明の概要】
【発明が解決しようとする課題】
【０００４】
しかし、従来の空気調和機では、漏えい冷媒を排出するための排出ダクトを、既存の構成に加え新たに設けているため、コストの増加を招き、設置工数が増加することとなる。
【０００５】
そこで本発明は、既存の構成を利用して漏えい冷媒を空調室外に排出することができ、コストおよび設置工数の増加を抑制した空気調和機を提供することを目的とする。
【課題を解決するための手段】
【０００６】
上記目的を解決するために、本発明の一態様である空気調和機は、吸込んだ空気と冷媒との間で熱交換を行う室内熱交換器と、前記室内熱交換器の下方に設けられ、前記室内熱交換器に結露したドレン水を排出するドレン水排出手段とを有する室内機を備える。前記冷媒は、可燃性を有し、かつ、比重が空気より重い冷媒である。前記ドレン水排出手段には、前記室内熱交換器から漏れた前記冷媒を外部へ排出するための冷媒排出手段が設けられ、前記室内熱交換器から漏れた前記冷媒は、前記冷媒排出手段により前記ドレン水排出手段を介して外部へ排出される。
【発明の効果】
【０００７】
本発明によれば、既存の構成を利用して漏えい冷媒を空調室外に排出することができ、コストおよび設置工数の増加を抑制した空気調和機を提供することができる。
【図面の簡単な説明】
【０００８】
【図１】第１の実施形態における空気調和機の室内機の概略図を示す。
【図２】第２の実施形態における室内機のドレン水排出部付近の拡大図を示す。
【図３】第３の実施形態における空気調和機の室内機の概略図を示す。
【発明を実施するための形態】
【０００９】
本発明の第１の実施形態における空気調和機について、図面を参照して説明する。図１は、本実施形態における床置型の空気調和機１の室内機２の概略図を示している。
【００１０】
本実施形態における空気調和機１では、冷媒として、比重が空気より重い可燃性冷媒、例えばＨＦＣ３２、または、プロパン等のＨＣ冷媒を使用する。
【００１１】
空気調和機１は、室内機２と、図示せぬ室外機とを備える。図１に示すように、室内機２は、筐体としてのキャビネット３を有し、キャビネット３内に、室内熱交換器４と、送風機５と、ドレン水排出部６と、冷媒検知センサ７とが配置されている。
【００１２】
図１に示すように、キャビネット３の内部空間の上部には、送風機５が配置され、送風機５の下側に室内熱交換器４が配置され、熱交換器４の下側にドレン水排出部６が配置されている。
【００１３】
送風機５のファンが回転することにより、図１の矢印に示すように、キャビネット３外の空気が、キャビネット３に設けられたフィルタ３Ａを通過してキャビネット３内に流入し、室内熱交換器４を通過する。室内熱交換器４において、図示せぬ室外機から供給された冷媒と吸込まれた空気との間で熱交換が行われ、温風または冷風が送風機５により室内に吹出される。また、冷房運転時には、ドレン水排出部６に室内熱交換器４で結露したドレン水が捕集され外部に排水される。
【００１４】
次に、ドレン水排出部６について説明する。ドレン水排出部６は、ドレンパン６Ａと、ドレン配管６Ｂとを有する。ドレン配管６Ｂは、一端がドレンパン６Ａの排出口６ｃに接続され、他端は室内機２が設置された部屋の外に配置されている。また、ドレン配管６Ｂの排出口６ｃ近傍であって、ドレン配管６Ｂ内の上部には、冷媒排出手段であるファン８が設けられている。また、冷媒検知センサ７は、室内熱交換器４の下側に設けられている。
【００１５】
そして、ドレン水排出部６により、ドレンパン６Ａに溜まったドレン水は、排出口６ｃおよびドレン配管６Ｂを介して空調室外へ重力を利用して排出される。また、室内熱交換器４から冷媒が漏えいした場合、冷媒が空気より比重が重いため室内熱交換器４の下側へ流れ、冷媒検知センサ７により検知されると、図示せぬ制御部により、送風機５が停止され、ファン８が回転駆動される。これにより、漏えい冷媒は、排出口６ｃおよびドレン配管６Ｂを介して空調室外へ排出される。よって、可燃性を有する冷媒を空調室外へ排出することができる。
【００１６】
以上のように、本実施形態の空気調和機１（室内機２）によれば、冷媒排出手段であるファン８が、ドレン水排出部６のドレン配管６Ｂ内に設けられており、漏えい冷媒は、ファン８の回転により、ドレンパン６Ａの排出口６ｃおよびドレン配管６Ｂを介して空調室外へ排出される。よって、漏えい冷媒は、室内機２の既存の構成であるドレン水排出部６のドレン配管６Ｂを介して空調室外へ排出される。その結果、冷媒排出専用の配管を設ける必要がなくなるので、空気調和機１のコストおよび設置工数の増加を抑制することができる。
【００１７】
また、冷媒検知センサ７にて冷媒が検知された場合、送風機５を停止し、ファン８を回転させるので、速やかに漏えい冷媒を空調室外へ排出することができる。
【００１８】
また、ファン８は、ドレン配管６Ｂ内の上部に配置されているので、ドレン水自体、または、ドレン水に含まれる異物による影響を最小限にすることができる。
【００１９】
次に、本発明の第２の実施形態における空気調和機について説明する。図２は、本実施形態における床置型の室内機１２のドレン水排出部６付近の拡大図を示している。なお、第１の実施形態の室内機と同一の部材には同一の参照番号を付して説明を省略し、異なる部分について説明する。
【００２０】
ドレン水排出部６は、ドレンパン６Ａおよびドレン配管６Ｂに加えドレンポンプ６Ｃを有する。ドレンポンプ６Ｄは、ドレン配管６Ｂに設けられており、ドレンポンプ６を駆動させることにより、ドレン水がドレン配管６Ｂに引き込まれてポンプアップされ空調室外へ排出される。
【００２１】
また、ドレン水排出部６には、冷媒排出部１０が設けられている。冷媒排出部１０は、バイパス配管１０Ａと、ファン１０Ｂとを有する。バイパス配管１０Ａは、一端が室内熱交換器４の下側であってドレンパン６Ａの端部の近傍に配置され、他端がドレン配管６Ｂのドレンポンプ６Ｄが設けられた位置よりもドレン水の流れの下流側において、ドレン配管６Ｂに接続されている。
【００２２】
本実施形態においても、室内熱交換器４から冷媒が漏れた場合、冷媒が空気より比重が重いため室内熱交換器４の下側へ流れ、冷媒検知センサ７により検知されると、図示せぬ制御部により、送風機５が停止され、ファン８が回転駆動される。これにより、漏えい冷媒は、矢印で示すようにバイパス配管１０Ｂに吸込まれ、ドレン配管６Ｂを介して空調室外へ排出される。よって、ファン８が回転駆動させることにより、可燃性を有する冷媒を空調室外へ排出することができる。また、漏えい冷媒は、室内機１２の既存の構成であるドレン水排出部６のドレン配管６Ｂを介して空調室外へ排出される。従って、冷媒排出専用の配管を設ける必要がなくなるので、空気調和機１のコストおよび設置工数の増加を抑制することができる。
【００２３】
次に、本発明の第３の実施形態における空気調和機について説明する。図３は、本実施形態における床置型の空気調和機２１の室内機２２の概略図を示している。なお、第１の実施形態の室内機と同一の部材には同一の参照番号を付して説明を省略し、異なる部分について説明する。
【００２４】
キャビネット３のフィルタ３Ａの下側には、前垂れ３Ｂが設けられ、前垂れ３Ｂの上面は、床面付近に位置している気体をフィルタ３Ａに導くように、床面からフィルタ３Ａに向かってせりあがるような湾曲状をなしている。
【００２５】
また、冷媒検知センサ７は、室内熱交換器４の下側であって、フィルタ３Ａの内面の近傍に設けられている。
【００２６】
室内熱交換器４から漏れた冷媒が、送風機５により空調室内に吹出されている場合、冷媒は、比重が空気より重いため、空調室の床面付近に溜まることになる。床面付近に溜まった冷媒が、送風機５により、前垂れ３Ｂを上ってフィルタ３Ａを通過してキャビネット３内に吸込まれた場合、冷媒検知センサ７がフィルタ３Ａの内面の近傍に設けられているので、冷媒検知センサ７は、冷媒を検知する。当該検知に基づき、図示せぬ制御部は、送風機５を停止し、ファン８を回転駆動させる。これにより、空調室内の漏えい冷媒は、前垂れ３Ｂを上ってフィルタ３Ａを通過してキャビネット３内に流入し、ドレンパン６Ａの排出口６ｃおよびドレン配管６Ｂを介して空調室外へ排出される。よって、空調室内に流出し、床面付近に溜まった可燃性を有する冷媒を空調室外へ排出することができる。
【００２７】
また、冷媒検知センサ７は、室内熱交換器４の下側であって、フィルタ３Ａの内面の近傍に設けられているので、室内熱交換器４から漏れて下降してくる冷媒、および、空調室内の床面付近に溜まった冷媒の両方を検知することができる。また、本実施形態においても上記の実施形態と同様の効果を奏する。
【００２８】
なお、本発明は、上述した実施例に限定されない。当業者であれば、本発明の範囲内で、種々の追加や変更等を行うことができる。
【００２９】
例えば、第１の実施形態の室内機２において、ドレン配管６Ｂにファン８を設けたが、ファン８の代わりにドレン水を排出するためのドレンポンプを設けても良い。冷媒検知センサ７により漏えい冷媒が検知された場合、ドレンポンプを駆動することにより漏えい冷媒を空調室外に排出することができる。
【００３０】
また、上記実施形態では、空気調和機の室内機は、床置型の室内機であったが、壁掛型の空気調和機の室内機であっても良く、天井埋め込み型の室内機であっても良い。
【符号の説明】
【００３１】
１：空気調和機、２：室内機、４：室内熱交換器、６：ドレン水排出部、６Ａ：ドレンパン、６Ｂ：ドレン配管、７：冷媒検知センサ、８：ファン、１０：冷媒排出部、１０Ａ：バイパス配管、１０Ｂ：ファン
【図１】
2015224837.tif 000003
【図２】
2015224837.tif 000004
【図３】
2015224837.tif 000005